(57)【要約】【課題】  この発明は、上述の問題に鑑みてなされたものであって、郵送検診において、消費者がプライバシーを侵害されることなく自己の検査結果を閲覧することができる郵送検診用検査結果閲覧システムの提供を課題とする。【解決手段】  消費者２が身体またはペットから被検査物８を採取し、その被検査物８を必要事項を記入した検査申込書９とともに所定の会社に郵送し、会社２側は被検査物８に基づいて所定の検査を実施する郵送検診である。消費者２が、自己の情報端末装置３から会社４のサーバにアクセスし、所定のページでＩＤ番号、パスワード、および採取日を入力すると、サーバにおいて対応する検査結果が検索され、情報端末装置３から検査結果を閲覧することができる。【選択図】  図１
2005157802.tif 000002
【特許請求の範囲】
【請求項１】
消費者が身体またはペットから被検査物を採取し、その被検査物を必要事項を記入した検査申込書とともに所定の会社に郵送し、会社側は被検査物に基づいて所定の検査を実施する郵送検診において、互いにネットワークに接続された会社側のサーバコンピュータと消費者の情報端末装置とにより消費者が検査結果を閲覧する郵送検診用検査結果閲覧システムにおいて、
前記情報端末装置は、
消費者により前記検査申込書に記載されたＩＤ番号および／またはパスワードが入力される入力手段と、
該入力手段により入力されたＩＤ番号および／またはパスワードを前記サーバコンピュータに送信する送信手段と、
前記サーバコンピュータから送信されてきた検査結果を受信する受信手段と、
該受信手段により受信された検査結果を表示する表示手段とを備え、
前記サーバコンピュータは、
消費者により前記検査申込書に記載されたＩＤ番号および／またはパスワードに対応させて消費者の検査結果を記憶する検査結果記憶手段と、
前記情報端末装置から送信されてきたＩＤ番号および／またはパスワードを受信する受信手段と、
該受信手段により受信されたＩＤ番号および／またはパスワードに基づいて、前記検査結果記憶手段に記憶されている各消費者の検査結果の中から対応する消費者の検査結果を検索する検索手段と、
該検索手段により検索された検査結果を前記情報端末装置に送信する送信手段と、
を備えてなることを特徴とする郵送検診用検査結果閲覧システム。
【請求項２】
前記サーバコンピュータは、検査結果記憶手段がＩＤ番号および／またはパスワードとともに、前記検査申込書に記載された被検査物の採取日にも対応させて消費者の検査結果を記憶するものである請求項１に記載の郵送検診用検査結果閲覧システム。
【請求項３】
前記サーバコンピュータは、自治体相談窓口リスト、治療ブロック拠点病院リスト、あるいは治療拠点病院リストなどの各種リストを記憶するリスト記憶手段と、前記情報端末装置からの要求に応じて前記リストを前記情報端末装置に送信する送信手段とを備える請求項１または請求項２に記載の郵送検診用検査結果閲覧システム。
【発明の詳細な説明】
【技術分野】
【０００１】
この発明は、消費者が身体またはペットから被検査物を採取し、その被検査物を必要事項を記入した検査申込書とともに所定の会社に郵送し、会社側は被検査物に基づいて所定の検査を実施する郵送検診において、互いにネットワークに接続された会社側のサーバコンピュータと消費者の情報端末装置により消費者が検査結果を閲覧する郵送検診用検査結果閲覧システムに関する。
【背景技術】
【０００２】
従来、ＨＩＶ（エイズ）、骨粗しょう症、糖尿病、胃ガン、大腸ガン、前立腺ガン、Ｃ型肝炎、性病など、様々な病気について、病院にわざわざ行くことなく、手軽に検査することができる郵送検診が知られている（例えば、特許文献１参照）。
【０００３】
この郵送検診とは、消費者が薬局やインターネットにおいて販売されている郵送検診キットを購入し、その郵送検診キットに付属の採取器具によって自己の身体またはペットから被検査物（例えば、血液や尿など）を採取したあと、その被検査物を必要事項を記入した検査申込書とともに所定の会社に郵送すると、会社側は当該被検査物に基づいて所定の検査を実施するというものである。そして、この検査結果は、会社側から消費者に対して郵送され、消費者はその郵送されてきた検査結果を閲覧する。
【０００４】
しかしながら、この検査結果を会社側から郵送してもらうためには、消費者は前記検査申込書に少なくとも住所と氏名を記載する必要がある。このため、例え会社側が消費者の情報管理を確実に行っていたとしても、消費者からすれば会社側さらには第三者に自己の病気が露呈してプライバシーが侵されることを恐れ、上述の郵送検診を行うことを躊躇する場合があるという問題があった。
【特許文献１】特願２００３−２７２７９３号
【発明の開示】
【発明が解決しようとする課題】
【０００５】
この発明は、上述の問題に鑑みてなされたものであって、郵送検診において、消費者がプライバシーを侵害されることなく自己の検査結果を閲覧することができる郵送検診用検査結果閲覧システムの提供を課題とする。
【課題を解決するための手段】
【０００６】
この発明は、上述の課題を解決するために、消費者が身体またはペットから被検査物を採取し、その被検査物を必要事項を記入した検査申込書とともに所定の会社に郵送し、会社側は被検査物に基づいて所定の検査を実施する郵送検診において、互いにネットワークに接続された会社側のサーバコンピュータと消費者の情報端末装置とにより消費者が検査結果を閲覧する郵送検診用検査結果閲覧システムにおいて、
前記情報端末装置は、消費者により前記検査申込書に記載されたＩＤ番号および／またはパスワードが入力される入力手段と、該入力手段により入力されたＩＤ番号および／またはパスワードを前記サーバコンピュータに送信する送信手段と、前記サーバコンピュータから送信されてきた検査結果を受信する受信手段と、該受信手段により受信された検査結果を表示する表示手段とを備え、
前記サーバコンピュータは、消費者により前記検査申込書に記載されたＩＤ番号および／またはパスワードに対応させて消費者の検査結果を記憶する検査結果記憶手段と、前記情報端末装置から送信されてきたＩＤ番号および／またはパスワードを受信する受信手段と、該受信手段により受信されたＩＤ番号および／またはパスワードに基づいて、前記検査結果記憶手段に記憶されている各消費者の検査結果の中から対応する消費者の検査結果を検索する検索手段と、該検索手段により検索された検査結果を前記情報端末装置に送信する送信手段と、を備えてなることを特徴とする。
【０００７】
これによれば、会社側ではＩＤ番号および／またはパスワードにより各消費者の検査結果を管理するので、郵送検診において消費者の氏名や住所等を申込書に記入する必要がなくなることにより匿名性が高くなり、消費者はプライバシーを侵害されることなく自己の検査結果を閲覧することができる。
【０００８】
また、前記サーバコンピュータは、検査結果記憶手段がＩＤ番号および／またはパスワードとともに、前記検査申込書に記載された被検査物の採取日にも対応させて消費者の検査結果を記憶するのが好ましい。
【０００９】
これによれば、被検査物の採取日にも対応させて検査結果を記憶するので、仮にＩＤ番号やパスワードが同一のものが存在しても、消費者の検査結果を識別することができ、本システムの信頼性が向上する。
【００１０】
また、前記サーバコンピュータは、自治体相談窓口リスト、治療ブロック拠点病院リスト、あるいは治療拠点病院リストなどの各種リストを記憶するリスト記憶手段と、前記情報端末装置からの要求に応じて前記リストを前記情報端末装置に送信する送信手段とを備えるのが好ましい。
【００１１】
これによれば、消費者は、自治体相談窓口リスト、治療ブロック拠点病院リスト、あるいは治療拠点病院リストなどの各種リストをを閲覧することができる。
【発明の効果】
【００１２】
この発明によれば、会社側ではＩＤ番号および／またはパスワードにより各消費者の検査結果を管理するので、郵送検診において消費者の氏名や住所等を申込書に記入する必要がなくなることにより匿名性が高くなり、消費者はプライバシーを侵害されることなく自己の検査結果を閲覧することができ、消費者はより一層簡易に郵送検診を利用することが可能となる。
【発明を実施するための最良の形態】
【００１３】
次にこの発明の一実施形態について説明する。
【００１４】
図１は、本発明に係る検査結果閲覧システムを含む郵送検診の構成概略図である。
【００１５】
図１において、（１）は郵送検診キットを販売する販売店（インターネット上の仮想販売店を含む）、（２）は本システムを利用する消費者、（３）は消費者のパーソナルコンピュータや携帯電話等の情報端末装置、（４）は郵送検診システムを運用する会社、（５）は検査を実施する検査機関、（６）は前記検査機関による検査データに基づいて検査結果等を判定する判定医である。また（４１）は会社（４）内の郵送検診の各種処理を行う郵送検診部門、（４２）は会社（または会社が依頼した管理会社）が管理するサーバコンピュータ（以下、サーバという）である。
【００１６】
しかして、前記消費者（２）は、前記販売店（１）において郵送検診キット（７）を購入し、郵送検診キット（７）中の採取器具により自己の身体（あるいはペット）から血液や尿等の被検査物（８）を採取する。この採取された被検査物（８）は、小型の容器に収容されたり、吸収材に吸収されるものとなされている。
【００１７】
そして、消費者（２）は、その採取した被検査物（８）を、同じく郵送検診キット（７）中の検査申込書（９）とともに会社に郵送する。
【００１８】
この検査申込書（９）は、図３に示すように、１ＩＤ番号、パスワードおよび採取日を記入する欄が設けられている。消費者（２）は、インターネットでの検査結果の閲覧を希望する場合には、上記欄１に必要事項を記入する。なお、この検査申込書（９）には、２住所、名前、電話番号、および採取日を記入する欄も設けられており、郵送での検査結果の閲覧を希望する場合には、上記欄２に必要事項を記入すればよい。
【００１９】
そして、前記会社（４）は、前記郵送検診部門（４１）において、消費者（２）から郵送されてきた被検査物（８）および検査申込書（９）を受け取り、被検査物（８）を検査機関（５）に送る。
【００２０】
前記検査機関（５）は、前記会社（４）から送られてきた被検査物（８）について、郵送検診キット（７）に対応する項目について検査を実施する。この検査データは、前記会社（４）に送られたあと、該会社（４）から前記判定医（６）に送られる。
【００２１】
前記判定医（６）は、前記検査データに基づいて検査結果等の判定を行ったあと、その判定結果を前記会社（４）に送る。
【００２２】
前記会社（４）は、検査機関（５）による検査データと判定医（６）による判定結果とからなる検査結果を前記サーバ（４２）に記憶させる。このとき、各消費者（２）の検査結果は、検査申込書に記入された１ＩＤ番号、パスワードおよび採取日に対応させてサーバ（４２）に記憶せしめられる。なお、消費者（２）が郵送での検査結果の閲覧を希望した場合は、会社（４）は検査申込書（９）に記載の住所宛に検査結果を郵送する。
【００２３】
消費者（２）は、自己の情報端末装置（３）によりインターネット上の前記会社（４）のホームページ（以下、ＨＰという）にアクセスし、そのＨＰの所定のページから検査申込書（９）に記載した１ＩＤ番号、パスワードおよび採取日を入力すれば、サーバ（４２）において当該１ＩＤ番号、パスワードおよび採取日に対応する消費者（２）の検査結果が検索され、消費者はＨＰ上において検査結果を閲覧することができる。なお、消費者（２）は会社（４）のＨＰ上において他のページも閲覧することもできる。
【００２４】
次に上記郵送検診における検査結果閲覧システムについて具体的に説明する。
【００２５】
図２は、検査結果閲覧システムの機能を示すブロック図である。
【００２６】
この検査結果閲覧システムは、消費者の情報端末装置（３）と、会社（４）のサーバ（４２）とからなり、それら情報端末装置（３）とサーバ（４２）はインターネット等のネットワークを介して通信可能な状態となされている。
【００２７】
前記情報端末装置（３）には、入力部（３１）が設けられている。この入力部（３１）は、パソコンの場合はキーボードやマウスであり、携帯電話の場合は番号ボタンである。消費者（２）は、この入力部（３１）により会社（４）のサーバ（４２）にアクセスし、所定の画面において１ＩＤ番号、パスワードおよび採取日を入力したり、さらに他の画面に移ったりすることができる。
【００２８】
前記入力部（３１）の出力側には送信部（３２）が設けられている。この送信部（３２）は、前記入力部（３１）により入力された１ＩＤ番号、パスワードおよび採取日をネットワークを介して前記サーバ（４２）に送信するものである。また、送信部（３２）は、前記入力部（３１）による消費者（２）の各種命令もネットワークを介して前記サーバ（４２）に送信する。
【００２９】
また、前記情報端末装置（３）には、受信部（３３）が設けられている。この受信部（３３）は、前記サーバ（４２）から送信されてきた検査結果（データ）を受信するものである。また、受信部（３３）は、前記入力部（３１）による消費者（２）の各種命令に対応したページ（データ）等も受信する。
【００３０】
前記受信部（３３）の出力側には表示部（３４）が設けられている。この表示部（３４）は、パソコンや携帯電話におけるモニタであり、前記受信部（３３）により受信された検査結果を表示するものである。また、表示部（３４）は、前記受信部により受信された各種ページも表示する。
【００３１】
一方、前記サーバ（４２）には、受信部（４２１）が設けられている。この受信部（４２１）は、前記情報端末装置（３）からネットワークを介して送信されててきた１ＩＤ番号、パスワードおよび採取日を受信するものである。また、受信部（４２１）は、前記情報端末装置（３）からネットワークを介して送信されてきた消費者（２）の命令情報も受信する。
【００３２】
前記受信部（４２１）の出力側には検索部（４２２）が設けられている。この検索部（４２２）は、前記情報端末装置（３）から１ＩＤ番号、パスワードおよび採取日が送信されてきた場合に、前記検査結果記憶部（４２４）に記憶されている各消費者（２）の検査結果の中から、当該１ＩＤ番号、パスワードおよび採取日に該当する検査結果を検索するものである。
【００３３】
前記検索部（４２２）の出力側には送信部（４２３）が設けられている。この送信部（４２３）は、前記検索部（４２２）により検索された検査結果（データ）を前記情報端末装置（３）に送信するものである。
【００３４】
なお、サーバ（４２）には、自治体のエイズ相談窓口、エイズ診療ブロック拠点病院リスト、あるいはエイズ拠点病院リストに関するデータや、各種ページを表示するためのデータを有しており、消費者（２）の情報端末装置（３）からの要求に応じてそれらのデータをネットワークを介して情報端末装置（３）に送信して消費者（２）の閲覧に供するものとしている。
【００３５】
これら情報端末装置（３）およびサーバ（４２）の各部は、ＣＰＵ、ＲＡＭ（Random Access Memory）、ＲＯＭ（Read Only Memory）、ハードディスク装置および外部入出力装置等からなるコンピュータにより実現される。
【００３６】
次に前記検査結果閲覧システムの動作について説明する。なお、下記画面１〜９は、図４〜図８に記載された画面である。
【００３７】
まず、消費者（２）が、情報端末装置（３）からネットワークを介してサーバ（４２）にアクセスし、画面１を情報端末装置（３）の表示部（３４）に表示させる。
【００３８】
そして、消費者（２）が、画面１上の「検査結果」をマウス等によりクリックすると、画面２が表示部（３４）に表示される。この画面２には、１ＩＤ番号、パスワードおよび採取日を入力する欄があるので、消費者（２）が各欄に該当番号等を入力して「検査結果を見る」をクリックすると、入力された１ＩＤ番号、パスワードおよび採取日がネットワークを介してサーバ（４２）に送信される。
【００３９】
そして、サーバ（４２）では、前記情報端末装置（３）からネットワークを介して送信されててきた１ＩＤ番号、パスワードおよび採取日を受信部により受信したあと、前記検査結果記憶部（４２４）に記憶されている各消費者（２）の検査結果の中から、当該１ＩＤ番号、パスワードおよび採取日に対応する消費者の検査結果を検索し、その検査結果（データ）を前記情報端末装置（３）に送信する。
【００４０】
そして、情報端末装置（３）では、前記サーバ（４２）から送信されてきた検査結果（データ）を受信したあと、その検査結果を表示部（３４）に表示する。このとき、未だ検索中であり記憶部に検査結果が記憶されていない場合は画面３、検査結果が陰性の場合は画面４、検査結果が陽性の場合は画面５、検査ができなかった場合が画面６がそれぞれ表示部（３４）に表示される。
【００４１】
そして、消費者（２）が、画面５において、「自治体エイズ相談窓口リスト」をクリックすると、自治体相談窓口に関する日本地図の画面７が表示され、さらに地図上をクリックすると当該地域の自治体のエイズ相談窓口のリストの画面（図示略）が表示あれる。また、同じく画面５において「エイズ治療ブロック拠点リスト」をクリックすると、エイズ治療ブロック拠点病院リストの画面８が表示される。また、同じく画面５において「エイズ治療拠点病院リスト」をクリックすると、エイズ治療拠点リストに関する日本地図の画面９が表示され、さらに地図上のクリックすると当該地域のエイズ治療拠点病院リストが表示される。
【００４２】
なお、この実施形態では、１ＩＤ番号、パスワードおよび採取日により各消費者（２）の検査結果を検索するものとしたが、それらの一つまたは２つにより検索するものとしてもよい。
【００４３】
また、各消費者（２）は、サーバ（４２）に蓄積してある自己の検査結果を情報端末装置（３）から消去するものとしてもよい。
【産業上の利用可能性】
【００４４】
この発明は、消費者が身体またはペットから被検査物を採取し、その被検査物を必要事項を記入した検査申込書とともに所定の会社に郵送し、会社側は被検査物に基づいて所定の検査を実施する郵送検診に適用される。
【図面の簡単な説明】
【００４５】
【図１】本発明に係る検査結果閲覧システムを含む郵送検診の構成概略図である。
【図２】検査結果閲覧システムの機能を示すブロック図である。
【図３】検査申込書の一例を示す図である。
【図４】画面１および画面２を示す図である。
【図５】画面３および画面４を示す図である。
【図６】画面５および画面６を示す図である。
【図７】画面７および画面８を示す図である。
【図８】画面９を示す図である。
【符号の説明】
【００４６】
１・・・販売店
２・・・消費者
３・・・情報端末装置
４・・・会社
５・・・検査機関
６・・・判定医
【図１】
2005157802.tif 000003
【図２】
2005157802.tif 000004
【図３】
2005157802.tif 000005
【図４】
2005157802.tif 000006
【図５】
2005157802.tif 000007
【図６】
2005157802.tif 000008
【図７】
2005157802.tif 000009
【図８】
2005157802.tif 000010